(57)【特許請求の範囲】
【請求項１】
走査線、データ線、及び発光制御線の交差部に位置する画素と、
前記画素を含み、２つ以上のブロックに分割される画素部と、
前記走査線に走査信号を順次に供給するための走査駆動部と、
前記走査信号に同期するように、前記データ線にデータ信号を供給するためのデータ駆動部と、
前記ブロック単位で前記発光制御線に接続される２つ以上の発光駆動部とを備え、
前記発光駆動部は、自身と接続した発光制御線に発光制御信号を供給し、前記ブロック単位で少なくとも１つ以上の発光制御信号は同じ時点に供給され、
前記ブロックのうち、最初のブロックに含まれた発光制御線に接続される発光駆動部と、前記ブロックのうち、最後のブロックに含まれた発光制御線に接続される発光駆動部は、自身と接続した１番目の発光制御線から最後の発光制御線に発光制御信号を順次に供給することを特徴とする有機電界発光表示装置。
【請求項２】
前記最後のブロックに含まれた発光制御線に接続される発光駆動部は、前記最後のブロックの１番目の走査線に走査信号が供給された後、自身と接続した１番目の発光制御線から最後の発光制御線に発光制御信号を順次に供給することを特徴とする請求項１に記載の有機電界発光表示装置。
【請求項３】
前記最初のブロック及び最後のブロックを除く残りのブロックに含まれた発光制御線とそれぞれ接続する発光駆動部も、自身と接続した１番目の発光制御線から最後の発光制御線に発光制御信号を順次に供給することを特徴とする請求項２に記載の有機電界発光表示装置。
【請求項４】
前記発光駆動部とそれぞれ接続した前記１番目の発光制御線に供給される発光制御信号は同時に供給されることを特徴とする請求項３に記載の有機電界発光表示装置。
【請求項５】
前記最初のブロックに含まれた発光制御線に接続される発光駆動部は、最初のブロックの１番目の走査線に走査信号が供給される前まで、自身と接続した１番目の発光制御線に発光制御信号を供給することを特徴とする請求項３に記載の有機電界発光表示装置。
【請求項６】
発光制御線に供給される発光制御信号の幅はすべて同一に設定されることを特徴とする請求項５に記載の有機電界発光表示装置。
【請求項７】
前記画素部は、３つのブロックに分割され、前記最後のブロックは、第３ブロックであることを特徴とする請求項２に記載の有機電界発光表示装置。
【請求項８】
前記ブロックのうち、前記最初のブロックは、第１ブロックであり、その第１ブロックに形成された発光制御線に接続された発光駆動部は、自身と接続した１番目の発光制御線から最後の発光制御線に発光制御信号を順次に供給することを特徴とする請求項７に記載の有機電界発光表示装置。
【請求項９】
前記第１ブロック及び第３ブロックにそれぞれ形成された１番目の発光制御線には、同時に発光制御信号が供給されることを特徴とする請求項８に記載の有機電界発光表示装置。
【請求項１０】
前記ブロックのうち、第２ブロックに形成された発光制御線に接続された発光駆動部は、自身と接続した最後の発光制御線から１番目の発光制御線に発光制御信号を順次に供給することを特徴とする請求項７に記載の有機電界発光表示装置。
【請求項１１】
前記第２ブロックに形成された発光制御線に接続された発光駆動部は、第２ブロックに形成された最後の走査線に走査信号が供給された後、自身と接続した最後の発光制御線に発光制御信号を供給することを特徴とする請求項１０に記載の有機電界発光表示装置。
【請求項１２】
前記３つのブロックのうち、真ん中に位置する第２ブロックに含まれる発光制御線の数が、第１ブロック及び第３ブロックに含まれる発光制御線の数より多く設定されることを特徴とする請求項７に記載の有機電界発光表示装置。
【請求項１３】
前記第２ブロックに含まれた発光制御線に接続された発光駆動部は、自身と接続した発光制御線に同時に発光制御信号を供給することを特徴とする請求項１２に記載の有機電界発光表示装置。
【請求項１４】
前記第２ブロックに含まれた発光制御線に供給される発光制御信号は、第３ブロックに含まれた１番目の発光制御線に供給される発光制御信号と同時に供給されることを特徴とする請求項１２に記載の有機電界発光表示装置。
【請求項１５】
前記最初のブロックである第１ブロックに含まれた発光制御線に接続された発光駆動部は、自身と接続した１番目の発光制御線から最後の発光制御線に発光制御信号を順次に供給することを特徴とする請求項１２に記載の有機電界発光表示装置。
【請求項１６】
前記第１ブロックの最後の発光制御線に供給される発光制御信号は、前記第２ブロックに含まれた発光制御線に供給される発光制御信号と同時に供給されることを特徴とする請求項１５に記載の有機電界発光表示装置。
【請求項１７】
前記画素の各々は、
有機発光ダイオードと、
走査線に走査信号が供給されたとき、データ信号に対応する電圧を充電し、充電された電圧に対応して前記有機発光ダイオードに供給される電流量を制御する画素回路と、
前記有機発光ダイオードと前記画素回路との間に接続され、発光制御線に発光制御信号が供給されたときにターンオンされ、その他の場合にターンオフされる制御トランジスタとを備えることを特徴とする請求項１に記載の有機電界発光表示装置。
【発明の詳細な説明】
【技術分野】
【０００１】
本発明は、有機電界発光表示装置及びその駆動方法に関し、特に、低い駆動周波数で駆動できるようにした有機電界発光表示装置及びその駆動方法に関する。
【背景技術】
【０００２】
近年、陰極線管（Ｃａｔｈｏｄｅ  Ｒａｙ  Ｔｕｂｅ）の欠点である重量及び体積を減らすことが可能な各種平板表示装置が開発されている。平板表示装置には、液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ）、プラズマ表示パネル（Ｐｌａｓｍａ  Ｄｉｓｐｌａｙ  Ｐａｎｅｌ）、及び有機電界発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）などがある。
【０００３】
平板表示装置のうち、有機電界発光表示装置は、電子と正孔との再結合により光を発生する有機発光ダイオードを用いて映像を表示するものであって、これは、速い応答速度を有し、かつ、低い消費電力で駆動されるという利点がある。
【０００４】
有機電界発光表示装置は、複数のデータ線、走査線、電源線の交差部にマトリクス状に配列される複数の画素を備える。画素は、通常、有機発光ダイオード、駆動トランジスタを含む２つ以上のトランジスタ、及び１つ以上のキャパシタからなる。
【０００５】
このような有機電界発光表示装置は、３Ｄ映像を実現するために、図１に示すように、１６．６ｍｓの期間に４つのフレームを含む。４つのフレームのうち、第１フレームは左映像Ｌを表示し、第３フレームは右映像Ｒを表示する。そして、第２フレーム及び第４フレームはブラックの映像を表示する。
【０００６】
シャッタ眼鏡は、第１フレーム期間に左側眼鏡に光を受け、第３フレーム期間に右側眼鏡に光を受ける。このとき、シャッタ眼鏡着用者は、シャッタ眼鏡を通して供給される映像を３Ｄとして認知する。第２フレーム及び第４フレームの期間に表示されるブラックの映像は、左及び右映像が混在してクロストーク（ｃｒｏｓｓ  ｔａｌｋ）現象が発生するのを防止する。
【０００７】
しかし、従来では、１６．６ｍｓの期間に４つのフレームが含まれ、これにより、２４０Ｈｚの駆動周波数で駆動されなければならないという問題がある。有機電界発光表示装置が高い周波数で駆動される場合、消費電力の上昇、安定性の低下、製造コストの上昇などといった問題が発生する。
【発明の概要】
【発明が解決しようとする課題】
【０００８】
そこで、本発明の目的は、低い駆動周波数で駆動できるようにした有機電界発光表示装置及びその駆動方法を提供することである。
【課題を解決するための手段】
【０００９】
本発明の実施例による有機電界発光表示装置は、走査線、データ線、及び発光制御線の交差部に位置する画素と、前記画素を含み、２つ以上のブロックに分割される画素部と、前記走査線に走査信号を順次に供給するための走査駆動部と、前記走査信号に同期するように、前記データ線にデータ信号を供給するためのデータ駆動部と、前記ブロック単位で前記発光制御線に接続される２つ以上の発光駆動部とを備え、前記発光駆動部は、自身と接続した発光制御線に発光制御信号を供給し、前記ブロック単位で少なくとも１つ以上の発光制御信号は同じ時点に供給される。
【００１０】
好ましくは、前記ブロックのうち、最後のブロックに含まれた発光制御線に接続される発光駆動部は、前記最後のブロックの１番目の走査線に走査信号が供給された後、自身と接続した１番目の発光制御線から最後の発光制御線に発光制御信号を順次に供給する。前記最後のブロックを除く残りのブロックに含まれた発光制御線とそれぞれ接続する発光駆動部も、自身と接続した１番目の発光制御線から最後の発光制御線に発光制御信号を順次に供給する。前記発光駆動部とそれぞれ接続した前記１番目の発光制御線に供給される発光制御信号は同時に供給される。
【００１１】
前記ブロックのうち、最初のブロックに含まれた発光制御線に接続された発光駆動部は、最初のブロックの１番目の走査線に走査信号が供給される前まで、自身と接続した１番目の発光制御線に発光制御信号を供給する。発光制御線に供給される発光制御信号の幅はすべて同一に設定される。前記画素部は、３つのブロックに分割され、前記最後のブロックは、第３ブロックである。前記ブロックのうち、第１ブロックに形成された発光制御線に接続された発光駆動部は、自身と接続した１番目の発光制御線から最後の発光制御線に発光制御信号を順次に供給する。
【００１２】
前記第１ブロック及び第３ブロックにそれぞれ形成された１番目の発光制御線には、同時に発光制御信号が供給される。前記ブロックのうち、第２ブロックに形成された発光制御線に接続された発光駆動部は、自身と接続した最後の発光制御線から１番目の発光制御線に発光制御信号を順次に供給する。前記第２ブロックに形成された発光制御線に接続された発光駆動部は、第２ブロックに形成された最後の走査線に走査信号が供給された後、自身と接続した最後の発光制御線に発光制御信号を供給する。前記３つのブロックのうち、真ん中に位置する第２ブロックに含まれる発光制御線の数が、第１ブロック及び第３ブロックに含まれる発光制御線の数より多く設定される。前記第２ブロックに含まれた発光制御線に接続された発光駆動部は、自身と接続した発光制御線に同時に発光制御信号を供給する。
【００１３】
前記第２ブロックに含まれた発光制御線に供給される発光制御信号は、第３ブロックに含まれた１番目の発光制御線に供給される発光制御信号と同時に供給される。第１ブロックに含まれた発光制御線に接続された発光駆動部は、自身と接続した１番目の発光制御線から最後の発光制御線に発光制御信号を順次に供給する。前記第１ブロックの最後の発光制御線に供給される発光制御信号は、前記第２ブロックに含まれた発光制御線に供給される発光制御信号と同時に供給される。
【００１４】
前記画素の各々は、有機発光ダイオードと、走査線に走査信号が供給されたとき、データ信号に対応する電圧を充電し、充電された電圧に対応して前記有機発光ダイオードに供給される電流量を制御する画素回路と、前記有機発光ダイオードと前記画素回路との間に接続され、発光制御線に発光制御信号が供給されたときにターンオンされ、その他の場合にターンオフされる制御トランジスタとを備える。
【発明の効果】
【００１５】
本発明の有機電界発光表示装置及びその駆動方法によれば、低い駆動周波数（例えば、１２０Ｈｚ）で走査信号及び走査信号に同期するデータ信号を供給しながら、３Ｄ映像を実現できるという利点がある。
【図面の簡単な説明】
【００１６】
【図１】従来の有機電界発光表示装置のフレーム期間を示す図である。
【図２】本発明の実施例による有機電界発光表示装置を示す図である。
【図３】本発明の第１実施例による有機電界発光表示装置のフレーム期間を示す図である。
【図４】図３のフレーム期間に走査線及び発光制御線に供給される駆動波形を示すタイミングチャートである。
【図５】本発明の第２実施例による有機電界発光表示装置のフレーム期間を示す図である。
【図６】本発明の第３実施例による有機電界発光表示装置のフレーム期間を示す図である。
【図７】本発明の第４実施例による有機電界発光表示装置のフレーム期間を示す図である。
【図８】図２における画素の実施例を示す図である。
【発明を実施するための形態】
【００１７】
以下、本発明の属する技術分野における通常の知識を有する者が本発明を容易に実施できる好ましい実施例について、添付した図２〜図８を参照して詳細に説明する。
【００１８】
図２は、本発明の実施例による有機電界発光表示装置を示す図である。
【００１９】
図２に示すように、本発明の実施例による有機電界発光表示装置は、複数のブロック１３２、１３４、１３６に分割される画素部１３０と、画素部１３０にマトリクス状に配置される画素１４０と、画素１４０に接続される走査線Ｓ１〜Ｓｎを駆動するための走査駆動部１１０と、画素１４０に接続される発光制御線Ｅ１〜Ｅｎを駆動するための発光駆動部１６２、１６４、１６６と、画素１４０に接続されるデータ線Ｄ１〜Ｄｍを駆動するためのデータ駆動部１２０と、駆動部１１０、１２０、１６２、１６４、１６６を制御するためのタイミング制御部１５０とを備える。
【００２０】
画素１４０は、走査線Ｓ１〜Ｓｎ、データ線Ｄ１〜Ｄｍ、及び発光制御線Ｅ１〜Ｅｎの交差部に形成される。このような画素１４０は、走査線（Ｓ１〜Ｓｎのいずれか１つ）に走査信号が供給されたときに選択され、データ線（Ｄ１〜Ｄｍのいずれか１つ）からデータ信号を受ける。そして、画素１４０は、発光制御線（Ｅ１〜Ｅｎのいずれか１つ）に発光制御信号が供給されたとき、データ信号に対応する輝度で発光する。
【００２１】
画素部１３０は、マトリクス状に配置された画素１４０を含む。このような画素部１３０は、複数のブロック１３２、１３４、１３６に分割される。ここで、ブロック１３２、１３４、１３６の各々は、２つ以上の走査線を含む。図２では、説明の便宜上、画素部１３０が３つのブロック１３２、１３４、１３６に分割されたものと示しているが、本発明はこれに限定されない。実際に、画素部１３０は、２つ以上のブロックに分割可能である。
【００２２】
走査駆動部１１０は、フレーム期間ごとに走査線Ｓ１〜Ｓｎに走査信号を順次に供給する。
【００２３】
データ駆動部１２０は、走査線Ｓ１〜Ｓｎに供給される走査信号に同期するように、データ線Ｄ１〜Ｄｍにデータ信号を供給する。ここで、データ駆動部１２０は、ｉ（ｉは自然数）フレームｉＦ期間に走査線Ｓ１〜Ｓｎに供給される走査信号に対応して左側のデータ信号を供給し、ｉ＋１フレームｉ＋１Ｆ期間に走査線Ｓ１〜Ｓｎに供給される走査信号に対応して右側のデータ信号を供給する。
【００２４】
第１発光駆動部１６２は、第１ブロック１３２に形成された発光制御線Ｅ１、Ｅ２、・・・に発光制御信号を供給する。
【００２５】
第２発光駆動部１６４は、第２ブロック１３４に形成された発光制御線Ｅｎ／３＋１、Ｅｎ／３＋２、・・・に発光制御信号を供給する。
【００２６】
第３発光駆動部１６６は、第３ブロック１３６に形成された発光制御線Ｅ２ｎ／３＋１、Ｅ２ｎ／３＋２、・・・に発光制御信号を供給する。
【００２７】
ここで、各々のブロック１３２、１３４、１３６に含まれた画素１４０は、発光制御線（Ｅ１〜Ｅｎのいずれか１つ）に発光制御信号が供給されたときに発光し、発光制御信号が供給されていないときにターンオフされる。このため、発光制御信号は、走査信号と同じ極性（例えば、ロー電圧）の電圧に設定される。
【００２８】
一方、本願発明において、発光駆動部１６２、１６４、１６６は、各々のブロック１３２、１３４、１３６ごとに形成される。したがって、画素部１３０が４つのブロックに分割されると、各々のブロックに対応するように、４つの発光駆動部が設置される。発光駆動部１６２、１６４、１６６の詳細な動作過程は後述する。
【００２９】
タイミング制御部１５０は、駆動部１１０、１２０、１６２、１６４、１６６を制御する。
【００３０】
図３は、本発明の第１実施例によるフレーム期間を示す図である。
【００３１】
図３に示すように、本発明の第１実施例において、走査駆動部１１０は、フレーム期間ｉＦ、ｉ＋１Ｆごとに走査線Ｓ１〜Ｓｎに走査信号を順次に供給（Ｓｃａｎ）する。ここで、１フレーム期間は８．３ｍｓに設定されるため、走査駆動部１１０は、１２０Ｈｚの駆動周波数で走査信号を供給する。そして、走査信号に同期するようにデータ信号を供給するデータ駆動部１２０も、１２０Ｈｚの駆動周波数でデータ線Ｄ１〜Ｄｍにデータ信号を供給する。
【００３２】
発光駆動部１６２、１６４、１６６は、自身と接続した１番目の発光制御線Ｅ１、Ｅｎ／３＋１、Ｅ２ｎ／３＋１から最後の発光制御線Ｅｎ／３、Ｅ２ｎ／３、Ｅｎに発光制御信号を順次に供給する。ここで、発光駆動部１６２、１６４、１６６は、同じ時点に自身と接続した１番目の発光制御線Ｅ１、Ｅｎ／３＋１、Ｅ２ｎ／３＋１に発光制御信号を供給する。すると、発光駆動部１６２、１６４、１６６の各々に接続された１番目の発光制御線Ｅ１、Ｅｎ／３＋１、Ｅ２ｎ／３＋１から最後の発光制御線Ｅｎ／３、Ｅ２ｎ／３、Ｅｎに発光制御信号が順次に同時に供給される。
【００３３】
実際に、発光駆動部１６２、１６４、１６６は、図４に示すように、第３ブロック（または最後のブロック）の１番目の走査線Ｓ２ｎ／３＋１に走査信号が供給された後、１番目の発光制御線Ｅ１、Ｅｎ／３＋１、Ｅ２ｎ／３＋１から順次に発光制御信号を供給する。ここで、発光駆動部１６２、１６４、１６６は、第１ブロック（または最初のブロック）に含まれた１番目の走査線Ｓ１に走査信号が供給される前まで、１番目の発光制御線Ｅ１、Ｅｎ／３＋１、Ｅ２ｎ／３＋１に発光制御信号を供給する。
【００３４】
一方、すべての発光制御線Ｅ１〜Ｅｎに供給される発光制御信号の幅は同一に設定され、これにより、画素１４０は、各々のブロックで一部期間発光する。そして、本願発明のように、発光制御線Ｅ１〜Ｅｎに発光制御信号が供給される場合、フレームｉＦ、ｉ＋１Ｆ間の第１期間Ｔ１に、すべての画素１４０は非発光状態に設定される。
【００３５】
シャッタ眼鏡は、ｉフレームｉＦ期間に左側眼鏡に光を受け、ｉ＋１フレームｉ＋１Ｆ期間に右側眼鏡に光を受ける。このとき、シャッタ眼鏡着用者は、シャッタ眼鏡を通して供給される映像を３Ｄとして認知する。そして、シャッタ眼鏡の応答時点（右側眼鏡または左側眼鏡で選択される時点）は、画素１４０が非発光状態に設定される第１期間Ｔ１に同期する。すると、クロストークなく、所望の３Ｄ映像を表示することができる。
【００３６】
図５は、本発明の第２実施例によるフレーム期間を示す図である。図５は、画素部が４つのブロックに分割されるだけであって、動作過程は図３と同一である。
【００３７】
ただし、画素部が４つのブロックに分割される場合、フレームｉＦ、ｉ＋１Ｆ間の非発光期間は第２期間Ｔ２に設定される。実際に、画素部が３つのブロックに分割された図３の場合、第１期間Ｔ１は、略１／３フレーム（１／３Ｆ）に設定され、４つのブロックに分割された図５の場合、第２期間Ｔ２は、１／４フレーム（１／４Ｆ）に設定される。
【００３８】
図６は、本発明の第３実施例によるフレーム期間を示す図である。
【００３９】
図６に示すように、走査駆動部１１０は、フレーム期間ｉＦ、ｉ＋１Ｆごとに走査線Ｓ１〜Ｓｎに走査信号を順次に供給（Ｓｃａｎ）する。そして、データ駆動部１２０は、走査信号に同期するように、データ線Ｄ１〜Ｄｍにデータ信号を供給する。
【００４０】
発光駆動部１６２、１６４、１６６は、自身と接続した発光制御線に発光制御信号を順次に供給する。ここで、第１発光駆動部１６２及び第３発光駆動部１６６は、自身と接続した１番目の発光制御線Ｅ１、Ｅ２ｎ／３＋１から最後の発光制御線Ｅｎ／３、Ｅｎに発光制御信号を順次に供給する。そして、第２発光駆動部１６４は、自身と接続した最後の発光制御線Ｅ２ｎ／３から１番目の発光制御線Ｅｎ／３＋１に発光制御信号を順次に供給する。
【００４１】
詳細に説明すると、第１発光駆動部１６２及び第３発光駆動部１６６は、第３ブロックの１番目の走査線Ｓ２ｎ／３＋１に走査信号が供給された後、１番目の発光制御線Ｅ１、Ｅ２ｎ／３＋１から順次に発光制御信号を供給する。そして、第２発光駆動部１６４は、１番目の発光制御線Ｅ１、Ｅ２ｎ／３＋１に供給される発光制御信号に同期するように、自身と接続した最後の発光制御線Ｅ２ｎ／３から順次に発光制御信号を供給する。ここで、第２発光駆動部１６４は、第２ブロックに形成された最後の走査線Ｓ２ｎ／３に走査信号が供給された後、自身と接続した最後の発光制御線Ｅ２ｎ／３に発光制御信号を供給する。
【００４２】
すなわち、本発明の第３実施例では、第２発光駆動部１６４は、第１発光駆動部１６２及び第３発光駆動部１６６とは逆順に発光制御信号を供給する。すると、ブロック１３２、１３４、１３６間の境界部で輝度差が発生するのを防止することができる。
【００４３】
詳細に説明すると、画素１４０は、走査信号が供給されたときに選択され、データ信号に対応する電圧を充電する。画素１４０に充電された電圧は、リーク電流（ｌｅａｋａｇｅ  ｃｕｒｒｅｎｔ）により時間に対応して変化する。したがって、図３に示すように、境界部に位置する画素でデータ書き込み時点と発光時点とが異なると、境界部で輝度差が発生する恐れがある。
【００４４】
本発明の第３実施例では、第２ブロック１３４の最後の発光制御線Ｅ２ｎ／３から１番目の発光制御線Ｅｎ／３＋１に発光制御信号を供給する。すると、ブロック１３２、１３４、１３６の境界部に位置する画素は、データ書き込み時点と発光時点とがほぼ類似するように（実際に１Ｈの時間差が発生するように）設定され、これにより、境界部で輝度差が発生するのを防止することができる。その他の発光制御信号の幅、供給時間などは、図３と同一に設定されるため、詳細な説明は省略する。
【００４５】
図７は、本発明の第４実施例によるフレーム期間を示す図である。
【００４６】
図７に示すように、走査駆動部１１０は、フレーム期間ｉＦ、ｉ＋１Ｆごとに走査線Ｓ１〜Ｓｎに走査信号を順次に供給（Ｓｃａｎ）する。そして、データ駆動部１２０は、走査信号に同期するように、データ線Ｄ１〜Ｄｍにデータ信号を供給する。
【００４７】
一方、本願発明の第４実施例において、第２ブロックに含まれた発光制御線の数は、第１ブロック及び第３ブロックに含まれた発光制御線の数より多く設定される。これに関する詳細な説明は後述する。
【００４８】
発光駆動部１６２、１６４、１６６は、自身と接続した発光制御線に発光制御信号を順次に供給する。ここで、第１発光駆動部１６２及び第３発光駆動部１６６は、発光制御信号を順次に供給する。そして、第２発光駆動部１６４は、第２ブロックに含まれたすべての発光制御線に発光制御信号を同時に供給する。
【００４９】
詳細に説明すると、第３発光駆動部１６６は、第３ブロックに含まれた１番目の走査線に走査信号が供給された後、第３ブロックに含まれた１番目の発光制御線に発光制御信号を供給する。以後、第３発光駆動部１６６は、第３ブロックに含まれた２番目または最後の発光制御線に順次に発光制御信号を供給しながら、画素１４０を発光状態に設定する。
【００５０】
第２発光駆動部１６４は、第３ブロックの１番目の発光制御線に供給される発光制御信号に同期するように、第２ブロックに含まれた発光制御線に発光制御信号を同時に供給する。
【００５１】
第１発光駆動部１６２は、第１ブロックに含まれた発光制御線に発光制御信号を順次に供給する。ここで、第１発光駆動部１６２は、第１ブロックに含まれた最後の発光制御線に供給される発光制御信号が、第２ブロックに含まれた発光制御線に供給される発光制御信号に同期するように供給する。ここで、第１ブロックに含まれた最後の発光制御線に供給される発光制御信号は、同じ水平ラインに位置する走査線に走査信号が供給される前まで供給される。
【００５２】
一方、発光制御線に供給される発光制御信号の幅は、位置とは無関係に同一に設定されるため、画素の発光時間は、図７に示すように、フレーム期間の一部期間に設定される。そして、フレーム間には、第３期間Ｔ３に非発光状態に設定される。ここで、第３期間Ｔ３は、第２ブロックに含まれた発光制御線が多いほど広く設定される。
【００５３】
図８は、本発明の実施例による画素を示す図である。
【００５４】
図８に示すように、本発明の実施例による画素１４０は、有機発光ダイオードＯＬＥＤと、有機発光ダイオードＯＬＥＤに供給される電流量を制御するための画素回路１４２と、画素回路１４２と有機発光ダイオードＯＬＥＤとの間に接続される制御トランジスタＣＭとを備える。
【００５５】
有機発光ダイオードＯＬＥＤのアノード電極は制御トランジスタＣＭに接続され、カソード電極は第２電源ＥＬＶＳＳに接続される。このような有機発光ダイオードＯＬＥＤは、画素回路１４２から供給される電流量に対応して所定輝度の光を生成する。
【００５６】
画素回路１４２は、有機発光ダイオードＯＬＥＤに供給される電流量を制御する。このような画素回路１４２は、現在公知の多様な形態の回路で構成可能である。例えば、画素回路１４２は、第１トランジスタＭ１と、第２トランジスタＭ２と、ストレージキャパシタＣｓｔとを備える。
【００５７】
第１トランジスタＭ１の第１電極はデータ線Ｄｍに接続され、第２電極は第２トランジスタＭ２のゲート電極に接続される。そして、第１トランジスタＭ１のゲート電極は走査線Ｓｎに接続される。このような第１トランジスタＭ１は、走査線Ｓｎに走査信号が供給されたときにターンオンされ、データ線Ｄｍと第２トランジスタＭ２のゲート電極とを電気的に接続させる。
【００５８】
第２トランジスタＭ２の第１電極は第１電源ＥＬＶＤＤに接続され、第２電極は制御トランジスタＣＭの第１電極に接続される。そして、第２トランジスタＭ２のゲート電極は第１トランジスタＭ１の第２電極に接続される。このような第２トランジスタＭ２は、自身のゲート電極に接続された電圧に対応する電流を有機発光ダイオードＯＬＥＤに供給する。
【００５９】
ストレージキャパシタＣｓｔは、第２トランジスタＭ２のゲート電極と第１電源ＥＬＶＤＤとの間に接続される。このようなストレージキャパシタＣｓｔは、データ信号に対応する電圧を充電する。
【００６０】
制御トランジスタＣＭの第１電極は画素回路１４２に接続され、第２電極は有機発光ダイオードＯＬＥＤのアノード電極に接続される。そして、制御トランジスタＣＭのゲート電極は発光制御線Ｅｎに接続される。このような制御トランジスタＣＭは、発光制御線Ｅｎに発光制御信号が供給されたときにターンオンされ、発光制御信号が供給されていないときにターンオフされる。
【符号の説明】
【００６１】
１１０：走査駆動部
１２０：データ駆動部
１３０：画素部
１４０：画素
１４２：画素回路
１５０：タイミング制御部
１６２、１６４、１６６：発光駆動部
ＣＭ：制御トランジスタ
Ｃｓｔ：ストレージキャパシタ
Ｍ１、Ｍ２：トランジスタ
ＯＬＥＤ：有機発光ダイオード
【図１】
0005832757.tif 000002
【図２】
0005832757.tif 000003
【図３】
0005832757.tif 000004
【図４】
0005832757.tif 000005
【図５】
0005832757.tif 000006
【図６】
0005832757.tif 000007
【図７】
0005832757.tif 000008
【図８】
0005832757.tif 000009